(57)【要約】【課題】重量、硬さおよび転がり抵抗の増大を抑えて良好な乗り心地性、操縦性さらには耐久性を確保し、かつより大きな接地面積の確保および接地圧分布の均等化を図りつつ、パンクの発生を防止する。【解決手段】取り付け体１１とリング状体１２とを連結する連結部材１３がタイヤ周方向に沿って複数設けられた非空気入りタイヤ１であって、リング状体１２は、タイヤ周方向に沿って多数個の分割体１２ａに分割され、これらの分割体１２ａにおいてリング状体１２の内周面１２ｂをなす各裏面には、タイヤ径方向の内方に向けて補強リブ１２ｄが突設されている。【選択図】図１
2010132259.tif 000002
【特許請求の範囲】
【請求項１】
車軸に取り付けられる取り付け体と、
該取り付け体をタイヤ径方向の外側から囲繞するリング状体と、
タイヤ周方向に沿って複数設けられ前記取り付け体と前記リング状体とを連結する連結部材と、が備えられた非空気入りタイヤであって、
前記連結部材は、このタイヤをその軸線方向から見たタイヤ側面視において、タイヤ周方向における一方側に向けて凸となるように湾曲した第１連結板と、他方側に向けて凸となるように湾曲した第２連結板と、を備え、
前記リング状体は、タイヤ周方向に沿って多数個の分割体に分割され、これらの分割体において前記リング状体の内周面をなす各裏面には、タイヤ径方向の内方に向けて補強リブが突設されていることを特徴とする非空気入りタイヤ。
【請求項２】
請求項１記載の非空気入りタイヤであって、
１つの前記連結部材における第１連結板および第２連結板の各一端部は、タイヤ周方向で互いに隣接する複数個の分割体に跨って連結されていることを特徴とする非空気入りタイヤ。
【請求項３】
請求項１または２に記載の非空気入りタイヤであって、
前記リング状体の外周面側には、その全周にわたってトレッド部材が配設され、
このトレッド部材の外周面にはパターン溝が形成され、
前記第１連結板および第２連結板の各一端部は、前記リング状体の内周面側において前記パターン溝と対応する位置に連結されていることを特徴とする非空気入りタイヤ。
【請求項４】
請求項１から３のいずれか１項に記載の非空気入りタイヤであって、
１つの連結部材における第１連結板および第２連結板の各一端部は、前記リング状体の内周面側においてタイヤ周方向における同一の位置にタイヤ幅方向の位置を互いに異ならせて各別に連結され、
前記連結部材は、前記第１連結板が一のタイヤ幅方向位置にタイヤ周方向に沿って複数配置され、かつ前記第２連結板が他のタイヤ幅方向位置にタイヤ周方向に沿って複数配置されるように、タイヤ周方向に沿って複数設けられていることを特徴とする非空気入りタイヤ。
【請求項５】
請求項１から４のいずれか１項に記載の非空気入りタイヤであって、
前記多数個の分割体において前記リング状体の外周面をなす各表面が平坦面となっていることを特徴とする非空気入りタイヤ。
【請求項６】
請求項１から５のいずれか１項に記載の非空気入りタイヤであって、
前記第１連結板および第２連結板はそれぞれ、金属材料若しくは樹脂材料で形成されていることを特徴とする非空気入りタイヤ。
【請求項７】
請求項１から６のいずれか１項に記載の非空気入りタイヤであって、
前記リング状体の内周面側に連結される第１連結板および第２連結板の各一端部、および前記取り付け体の外周面側に連結される第１連結板および第２連結板の各他端部のうちの少なくとも一方は、タイヤ幅方向に沿って平行に延びる回転軸線回りに回転自在に支持されていることを特徴とする非空気入りタイヤ。
【発明の詳細な説明】
【技術分野】
【０００１】
本発明は、使用に際し内部に加圧空気の充填が不要な非空気入りタイヤに関するものである。
【背景技術】
【０００２】
内部に加圧空気が充填されて用いられる従来の空気入りタイヤでは、パンクの発生は構造上不可避的な問題となっている。
そこで、このパンクの発生を防止できる非空気入りタイヤとして、従来では例えば下記特許文献１に示されるような、内部がゴム材料で満たされた中実構造のいわゆるソリッドタイヤが提案されている。
【先行技術文献】
【特許文献】
【０００３】
【特許文献１】特開平６−２９３２０３号公報
【発明の概要】
【発明が解決しようとする課題】
【０００４】
しかしながら前記従来の非空気入りタイヤでは、空気入りタイヤと比べて重量が重い上に硬さや転がり抵抗も大きくなり、乗り心地性や操縦性が大幅に悪化するので、一般車両への適用が困難でその適用範囲が限られていた。
【０００５】
この発明は、このような事情を考慮してなされたもので、重量、硬さおよび転がり抵抗の増大を抑えて良好な乗り心地性、操縦性さらには耐久性を確保し、かつより大きな接地面積の確保および接地圧分布の均等化を図りつつ、パンクの発生を防止することができる非空気入りタイヤを提供することを目的とする。
【課題を解決するための手段】
【０００６】
上記課題を解決して、このような目的を達成するために、本発明の非空気入りタイヤは、車軸に取り付けられる取り付け体と、該取り付け体をタイヤ径方向の外側から囲繞するリング状体と、タイヤ周方向に沿って複数設けられ前記取り付け体と前記リング状体とを連結する連結部材と、が備えられた非空気入りタイヤであって、前記連結部材は、このタイヤをその軸線方向から見たタイヤ側面視において、タイヤ周方向における一方側に向けて凸となるように湾曲した第１連結板と、他方側に向けて凸となるように湾曲した第２連結板と、を備え、前記リング状体は、タイヤ周方向に沿って多数個の分割体に分割され、これらの分割体において前記リング状体の内周面をなす各裏面には、タイヤ径方向の内方に向けて補強リブが突設されていることを特徴とする。
【０００７】
この発明では、非空気入りタイヤが、取り付け体とリング状体とがタイヤ周方向に沿って複数設けられた連結部材で連結されて構成され、内部がゴム材料で満たされた中実構造となっていないので、その重量、硬さおよび転がり抵抗の増大を抑えて良好な乗り心地性や操縦性を確保しつつ、パンクの発生を防ぐことができる。
また、連結部材が、前記タイヤ側面視で、タイヤ周方向における一方側に向けて凸となるように湾曲した第１連結板と、他方側に向けて凸となるように湾曲した第２連結板と、を備えているので、この非空気入りタイヤに外力が作用して取り付け体とリング状体とが相対的にタイヤ径方向、タイヤ周方向、若しくはタイヤ幅方向に変位したときに、この変位に応じて第１連結板および第２連結板を弾性変形させ易くすることが可能になり、当該非空気入りタイヤに柔軟性を具備させることができ、車両への振動の伝達が抑えられ良好な乗り心地性を確実に確保することができる。
さらに、リング状体がタイヤ周方向に沿って多数個の分割体に分割されていることから、リング状体の柔軟性が高められ、非空気入りタイヤに作用する外力に応じて第１連結板および第２連結板のみならずリング状体をも変形させ易くすることが可能になる。したがって、接地面積を広くしかつ接地面内での接地圧のばらつきを抑えることが可能になり、良好な乗り心地性をより一層確実に確保することができるとともに、後述のようにリング状体の外周面側にトレッド部材が配設された場合には、耐久性を向上させることができる。
またこのように、リング状体を変形させ易くすることが可能になることから、前述の両連結板自体にかかる負荷のみならず、両連結板においてリング状体に連結される各一端部および取り付け体に連結される各他端部、つまり両連結板の接続部分にかかる負荷も大きく緩和することが可能になり、この接続部分を含めた連結部材全体の耐久性を高めることができる。
さらに、前述のようにリング状体がタイヤ周方向に沿って多数個の分割体に分割されているので、この非空気入りタイヤを容易に形成することが可能になるとともに、例えばリング状体の一部が破損したときに、リング状体の全体を交換せずにこの破損箇所のみを交換すれば足り、メンテナンス性を向上させることも可能になる。
また、前述の分割体においてリング状体の内周面をなす各裏面に補強リブが設けられているので、個々の分割体の曲げ剛性を向上させることが可能になり、この分割体が曲げ変形したことに起因した、接地面積の減少や接地圧のばらつきを抑制することができる。
なお、各連結部材が、前記タイヤ側面視で、タイヤ径方向に沿って延びる仮想線に対して線対称となっている場合には、この非空気入りタイヤにおけるタイヤ周方向の一方側に沿うばね定数と他方側に沿うばね定数とで差が生ずるのを抑えることが可能になる。したがって、この非空気入りタイヤを接地させた状態で、当該タイヤの接地部分における進行方向に沿うばね定数と制動方向に沿うばね定数との差を抑えることが可能になり、良好な操縦性を確実に確保することができる。
【０００８】
ここで、１つの前記連結部材における第１連結板および第２連結板の各一端部は、タイヤ周方向で互いに隣接する複数個の分割体に跨って連結されてもよい。
この場合、１つの連結部材における両連結板の各一端部が、タイヤ周方向で互いに隣接する複数個の分割体に跨って連結されているので、リング状体を構成する分割体の個数を、前述の作用効果を奏するのに十分な数量確保し易くすることが可能になるとともに、後述のようにトレッド部材が配設された場合には、トレッド部材に作用する接地圧をタイヤ周方向に分散させ易くすることも可能になり、接地面内での接地圧のばらつきを確実に抑えることができる。
【０００９】
また、前記リング状体の外周面側には、その全周にわたってトレッド部材が配設され、このトレッド部材の外周面にはパターン溝が形成され、前記第１連結板および第２連結板の各一端部は、前記リング状体の内周面側において前記パターン溝と対応する位置に連結されてもよい。
この場合、リング状体の外周面側に、その全周にわたってトレッド部材が配設されているので、乗り心地性、グリップ性、および非空気入りタイヤの耐久性を確実に向上させることができる。
また、第１連結板および第２連結板の各一端部が、リング状体の内周面側においてパターン溝と対応する位置に連結されているので、この非空気入りタイヤの接地時に、路面から連結部材全体に加えられる負荷、およびトレッド部材において第１連結板および第２連結板の各一端部と対応する対応部分に加えられる負荷をそれぞれ確実に抑制することが可能になる。
このうち、トレッド部材の前記対応部分に加えられる負荷を抑制することが可能になることから、トレッド部材の前記対応部分で接地圧が局所的に高くなるのを防ぎ、接地面内で接地圧がばらつくのをより一層確実に抑えることができる。
【００１０】
さらに、１つの連結部材における第１連結板および第２連結板の各一端部は、前記リング状体の内周面側においてタイヤ周方向における同一の位置にタイヤ幅方向の位置を互いに異ならせて各別に連結され、前記連結部材は、前記第１連結板が一のタイヤ幅方向位置にタイヤ周方向に沿って複数配置され、かつ前記第２連結板が他のタイヤ幅方向位置にタイヤ周方向に沿って複数配置されるように、タイヤ周方向に沿って複数設けられてもよい。
この場合、１つの連結部材における両連結板の各一端部が、リング状体の内周面側においてタイヤ周方向における同一の位置にタイヤ幅方向の位置を互いに異ならせて各別に連結されて、連結部材が、第１連結板が一のタイヤ幅方向位置にタイヤ周方向に沿って複数配置され、かつ第２連結板が他のタイヤ幅方向位置にタイヤ周方向に沿って複数配置されるように、タイヤ周方向に沿って複数設けられているので、タイヤ周方向で隣り合う連結部材同士の干渉を抑えることが可能になり、その配設個数に制限が生ずるのをより一層確実に抑えることができる。
なお、前述のようにトレッド部材が配設された場合には、トレッド部材に作用する接地圧をさらにタイヤ幅方向に分散させ易くすることも可能になり、耐久性を確実に向上させることができる。
【００１１】
また、前記多数個の分割体において前記リング状体の外周面をなす各表面が平坦面となってもよい。
この場合、前述の分割体においてリング状体の外周面をなす各表面が平坦面となっているので、例えば非空気入りタイヤを平坦な路面上に接地させて第１連結板および第２連結板を撓ませたときに、このタイヤにおいて路面上に位置する複数個の分割体の各表面の全てをそのほぼ全域にわたって路面と平行に沿わせる、つまり同一平面上に位置させることが可能になり、接地面内での接地圧のばらつきをより一層確実に抑えることができる。
すなわち、分割体の各表面を、例えば前記リング状体の外周面がこの非空気入りタイヤの軸線を中心とした真円になるようにタイヤ径方向の外方に向けて凸となるような凸曲面に形成した場合、このタイヤを平坦な路面上に接地させると、路面上に位置する複数個の分割体の各表面それぞれにおいて、タイヤ周方向の中間部に位置する部分が、路面側に当接する一方、この中間部よりもタイヤ周方向の外側に位置する部分は、前記中間部からタイヤ周方向の外側に向かうに従い漸次、タイヤ径方向の内側に向かい路面から離れることがあり、これら複数個の分割体の各表面の全てを全域にわたって路面と平行に沿わせることが困難になるおそれがある。
【００１２】
さらに、前記第１連結板および第２連結板はそれぞれ、金属材料若しくは樹脂材料で形成されてもよい。
この場合、ヒステリシスロスの発生をほぼなくすことが可能になり、転がり抵抗を空気入りタイヤよりも低減することができる。
【００１３】
また、前記リング状体の内周面側に連結される第１連結板および第２連結板の各一端部、および前記取り付け体の外周面側に連結される第１連結板および第２連結板の各他端部のうちの少なくとも一方は、タイヤ幅方向に沿って平行に延びる回転軸線回りに回転自在に支持されてもよい。
この場合、両連結板における各一端部および各他端部のうちの少なくとも一方が、タイヤ幅方向に沿って平行に延びる回転軸線回りに回転自在に支持されているので、非空気入りタイヤに外力が作用して取り付け体とリング状体とが相対的に前述のように変位したときに、前記少なくとも一方を前記回転軸線回りに回転させることにより、この少なくとも一方が局所的に大きく変形させられるのを抑制することが可能になる。したがって、前記両連結板の全体を偏り少なく均等に変形させて前記少なくとも一方にかかる負荷を抑えることが可能になり、乗り心地性、および連結部材全体の耐久性をより一層高めることができる。
ところで、このように両連結板における各一端部および各他端部のうちの少なくとも一方を前記回転軸線回りに回転自在に支持する構成では、特に、この連結部材の配設個数がスペース上の理由から制限されるおそれがある。このように連結部材の配設個数が制限された場合に、１つの連結部材における両連結板の各一端部を１つの分割体に連結してしまうと、分割体の個数が少なくなりすぎて、前述の作用効果が奏功され難くなるおそれがある。
すなわち、両連結板における各一端部および各他端部のうちの少なくとも一方を前記回転軸線回りに回転自在に支持する構成を採用したことにより、連結部材の配設個数が少なくなったとしても、前述のように、１つの連結部材における両連結板の各一端部を、タイヤ周方向で互いに隣接する複数個の分割体に跨って連結することによって、リング状体を構成する分割体の個数は、前述の作用効果を奏するのに十分な数量確保することが可能になる。つまり、１つの連結部材における両連結板の各一端部を、タイヤ周方向で互いに隣接する複数個の分割体に跨って連結することで、連結部材の配設個数とは無関係に分割体の個数を数多く確保することができる。
【発明の効果】
【００１４】
この発明によれば、重量、硬さおよび転がり抵抗の増大を抑えて良好な乗り心地性、操縦性さらには耐久性を確保し、かつより大きな接地面積の確保および接地圧分布の均等化を図りつつ、パンクの発生を防止することができる。
【図面の簡単な説明】
【００１５】
【図１】本発明に係る第１実施形態において、非空気入りタイヤの一部を分解した概略斜視図である。
【図２】図１の非空気入りタイヤの一部を示す概略斜視図である。
【図３】図１に示す非空気入りタイヤにおいて、（ａ）連結部材および取り付け体をタイヤ幅方向から見た正面図、および（ｂ）（ａ）に示す正面図の側面図である。
【図４】図３（ａ）に示すＸ部の拡大図である。
【図５】本発明に係る第２実施形態において、非空気入りタイヤの一部を分解した概略斜視図である。
【図６】図５の非空気入りタイヤの一部を示す概略斜視図である。
【図７】図５に示す非空気入りタイヤにおいて、（ａ）連結部材および取り付け体をタイヤ幅方向から見た正面図、および（ｂ）（ａ）に示す正面図の側面図である。
【図８】図７（ａ）に示すＸ部の拡大図である。
【図９】図１〜図４の非空気入りタイヤの他の実施形態の一部を示す概略斜視図である。
【図１０】図５〜図８の非空気入りタイヤの他の実施形態の一部を示す概略斜視図である。
【図１１】本発明に係る他の実施形態として示した非空気入りタイヤにおいて、（ａ）連結部材および取り付け体をタイヤ幅方向から見た正面図、および（ｂ）（ａ）に示す正面図の側面図である。
【図１２】本発明に係るさらに他の実施形態において、非空気入りタイヤの一部を示す概略斜視図である。
【発明を実施するための形態】
【００１６】
以下、本発明に係る非空気入りタイヤの第１実施形態を図１から図４を参照しながら説明する。
この非空気入りタイヤ１は、図示されない車軸に取り付けられる取り付け体１１と、取り付け体１１をタイヤ径方向の外側から囲繞するリング状体１２と、タイヤ周方向に沿って複数設けられ取り付け体１１の外周面側とリング状体１２の内周面１２ｂ側とを連結する連結部材１３と、リング状体１２の外周面１２ｃ側にその全周にわたって配設されたトレッド部材１４と、リング状体１２とトレッド部材１４との間に配設された補強層１５と、が備えられている。
【００１７】
取り付け体１１は、非空気入りタイヤ１をその軸線Ｏ方向から見たタイヤ側面視で円形に形成され、その径方向中央部に複数の取り付け孔１１ａが形成されている。これらの取り付け孔１１ａに例えばボルトが挿入されて前記車軸に形成された雌ねじ部に螺合することにより、取り付け体１１が前記車軸に取り付けられるようになっている。なお、取り付け体１１は金属材料で円盤状に形成されている。
【００１８】
トレッド部材１４は円筒状に形成され、リング状体１２の外周面１２ｃ側をその全域にわたって一体に覆っている。なお、トレッド部材１４の厚さは例えば約１０ｍｍとなっている。また本実施形態では、トレッド部材１４の外周面に周方向主溝（パターン溝）１４ａがタイヤ幅方向Ｈに間隔をあけて複数形成されている。さらにトレッド部材１４は、例えば、天然ゴムまたは／およびゴム組成物が加硫された加硫ゴム、あるいは熱可塑性材料等で形成されている。熱可塑性材料として、例えば熱可塑性エラストマー若しくは熱可塑性樹脂等が挙げられる。熱可塑性エラストマーとしては、例えばＪＩＳ  Ｋ６４１８に規定されるアミド系熱可塑性エラストマー（ＴＰＡ）、エステル系熱可塑性エラストマー（ＴＰＣ）、オレフィン系熱可塑性エラストマー（ＴＰＯ）、スチレン系熱可塑性エラストマー（ＴＰＳ）、ウレタン系熱可塑性エラストマー（ＴＰＵ）、熱可塑性ゴム架橋体（ＴＰＶ）、若しくはその他の熱可塑性エラストマー（ＴＰＺ）等が挙げられる。熱可塑性樹脂としては、例えばウレタン樹脂、オレフィン樹脂、塩化ビニル樹脂、若しくはポリアミド樹脂等が挙げられる。なお、耐摩耗性の観点ではトレッド部材１４を加硫ゴムで形成するのが好ましい。
補強層１５は、円筒状に形成されたゴムシートの内部にスチールコードが複数本並べられて埋設された構成となっている。なお、この補強層１５はトレッド部材１４と一体に形成してもよい。また、補強層１５は、例えば接着剤等を用いてその内周面をリング状体１２の外周面１２ｃに接着させ外周面をトレッド部材１４の内周面に接着させることにより固定されている。
【００１９】
連結部材１３は、前記タイヤ側面視で、タイヤ周方向における一方側に向けて凸となるように湾曲した第１連結板２１と、他方側に向けて凸となるように湾曲した第２連結板２２と、を備えている。また、１つの連結部材１３における第１連結板２１および第２連結板２２の各一端部２１ａ、２２ａは、リング状体１２の内周面１２ｂ側においてタイヤ周方向における同一の位置に連結されている。さらに本実施形態では、これらの各一端部２１ａ、２２ａは、リング状体１２の内周面１２ｂ側に、タイヤ幅方向Ｈの位置を互いに異ならせて各別に連結されている。
【００２０】
そして、各連結部材１３の前記タイヤ側面視の形状は、図３に示されるように、この連結部材１３のタイヤ周方向中央部を通りタイヤ径方向に沿って延びる仮想線Ｌに対して線対称となっている。図示の例では、仮想線Ｌは、両連結板２１、２２の各一端部２１ａ、２２ａと前記軸線Ｏとを通っている。
すなわち、両連結板２１、２２の各長さは互いに同等とされるとともに、両連結板２１、２２の各他端部２１ｂ、２２ｂは、前記タイヤ側面視で、取り付け体１１の外周面において前記各一端部２１ａ、２２ａとタイヤ径方向で対向する位置から前記軸線Ｏを中心にタイヤ周方向における一方側および他方側にそれぞれ同じ角度（例えば４５°以上１３５°以下、好ましくは９０°以上１２０°以下）ずつ離れた各位置に各別に連結されている。
【００２１】
また、複数の連結部材１３は、取り付け体１１とリング状体１２との間において前記軸線Ｏを基準に互いに点対称となる位置に各別に配置されている。さらに、連結部材１３は、第１連結板２１が一のタイヤ幅方向Ｈの位置にタイヤ周方向に沿って複数配置され、かつ第２連結板２２が前記一のタイヤ幅方向Ｈの位置とは異なる他のタイヤ幅方向Ｈの位置にタイヤ周方向に沿って複数配置されるように、タイヤ周方向に沿って複数（図示の例では６０個）設けられている。さらにまた、全ての連結部材１３は互いに同形同大となっている。
【００２２】
また、タイヤ周方向で隣り合う第１連結板２１同士は互いにほぼ平行とさせられてタイヤ周方向で対向し、タイヤ周方向で隣り合う第２連結板２２同士も互いにほぼ平行とさせられてタイヤ周方向で対向している。さらに、図示の例では、両連結板２１、２２の各他端部２１ｂ、２２ｂは、取り付け体１１の外周面においてタイヤ幅方向Ｈの両端部に各別に連結されている。
【００２３】
なお、第１連結板２１および第２連結板２２それぞれのタイヤ幅方向Ｈ（前記軸線Ｏ方向）の大きさ、つまり幅は互いに同等になっている。また、第１連結板２１および第２連結板２２の各厚さも互いに同等になっている。さらに、両連結板２１、２２の各他端部２１ｂ、２２ｂは、取り付け体１１の外周面に外接するように連結されている。
【００２４】
そして、本実施形態では、リング状体１２は、タイヤ周方向に沿って多数個の分割体１２ａに分割されている。なお、分割体１２ａは金属材料で形成されている。また、タイヤ周方向で隣り合う分割体１２ａの周端縁同士は、当接若しくはタイヤ周方向に離間している。さらに、多数個の分割体１２ａにおいてリング状体１２の外周面１２ｃをなす各表面は、平坦面となっている。すなわち、分割体１２ａ単体では、その前記表面を平坦面上に載置すると、この平坦面に分割体１２ａの前記表面が全域にわたって当接するようになっている。
【００２５】
また本実施形態では、分割体１２ａにおいてリング状体１２の内周面１２ｂをなす各裏面には、タイヤ径方向の内方に向けて補強リブ１２ｄが突設されている。補強リブ１２ｄは、図示の例では、分割体１２ａの裏面におけるタイヤ幅方向Ｈの両端部に各別にタイヤ周方向の全長にわたって設けられている。また、補強リブ１２ｄは板状に形成され、その厚さは分割体１２ａの厚さと同等になっている。
【００２６】
そして、１つの連結部材１３における両連結板２１、２２の各一端部２１ａ、２２ａは、タイヤ周方向で互いに隣接する複数個（図示の例では３個）の分割体１２ａに跨って連結されている。なお、図示の例では、１つの連結部材１３における両連結板２１、２２の各一端部２１ａ、２２ａは、リング状体１２の内周面１２ｂ側においてタイヤ幅方向Ｈの中央部から他端部側（反車両側）にずれた位置に連結されている。さらに、分割体１２ａのタイヤ周方向における大きさは、例えばタイヤ幅方向Ｈにおける大きさの１０分の１程度となっている。
【００２７】
ここで、タイヤ周方向で互いに隣接する複数個の分割体１２ａにおいてリング状体１２の内周面１２ｂを構成する裏面には、平板１９ａと、この平板１９ａの表面におけるタイヤ周方向の中央部に設けられたブロック状体１９ｂとを備える取付け部材１９が接着若しくは接合されており、この取付け部材１９によってタイヤ周方向で互いに隣接する複数個の分割体１２ａが連結されている。そして、これら複数個の分割体１２ａは、前記各表面の全てが同一平面上に位置するように弾性的に剛体変位可能となっている。すなわち、平板１９ａが弾性変形することで、複数個の分割体１２ａが前述のように弾性的に剛体変位可能になっている。
また、取り付け部材１９は、分割体１２ａの前記裏面においてタイヤ幅方向Ｈの中央部から他端側にずれた位置に配設されている。そして、前記ブロック状体１９ｂにおいてタイヤ径方向の内側を向く表面に、１つの連結部材１３における両連結板２１、２２の各一端部２１ａ、２２ａが外接するように連結されている。
【００２８】
なお、図示の例では、取り付け体１１のタイヤ幅方向Ｈにおける大きさは、リング状体１２のタイヤ幅方向Ｈにおける大きさの半分程度となっている。これにより、非空気入りタイヤ１が、タイヤ幅方向Ｈの一端部側を車両側に位置させ、かつタイヤ幅方向Ｈの他端部側を反車両側に位置させた状態で、車両に装着されると、リング状体１２のタイヤ径方向内側において取り付け体１１よりも車両側に位置する部分にブレーキ等を収納するスペースが確保される。
【００２９】
さらに本実施形態では、両連結板２１、２２の各一端部２１ａ、２２ａは、リング状体１２の内周面１２ｂ側においてトレッド部材１４の外周面に形成された複数の周方向主溝１４ａのうちの１つと対応する位置に、前記ブロック状体１９ｂを介して連結されている。
【００３０】
ここで、本実施形態では、第１連結板２１および第２連結板２２はそれぞれ、ヒステリシスロスがほとんど無い例えば金属材料若しくは樹脂材料等で形成されている。
なお、第１連結板２１および第２連結板２２を、例えば鉄鋼、ステンレス鋼若しくはアルミニウム合金等の金属材料で形成した場合には、第１連結板２１および第２連結板２２それぞれの両端部２１ａ、２１ｂおよび２２ａ、２２ｂは、取り付け体１１の外周面および前記ブロック状体１９ｂ（リング状体１２の内周面１２ｂ側）に溶接若しくは締結部材で締結されて連結される。
また、第１連結板２１および第２連結板２２を樹脂材料で形成した場合には、第１連結板２１および第２連結板２２それぞれの両端部２１ａ、２１ｂおよび２２ａ、２２ｂは、取り付け体１１の外周面および前記ブロック状体１９ｂ（リング状体１２の内周面１２ｂ側）に当該樹脂材料を接着させる若しくは締結部材で締結されることによって連結される。
【００３１】
以上説明したように、本実施形態による非空気入りタイヤ１によれば、取り付け体１１とリング状体１２とがタイヤ周方向に沿って複数設けられた連結部材１３で連結されて構成され、内部がゴム材料で満たされた中実構造となっていないので、その重量、硬さおよび転がり抵抗の増大を抑えて良好な乗り心地性や操縦性を確保しつつ、パンクの発生を防ぐことができる。
【００３２】
また、連結部材１３が、前記タイヤ側面視で、タイヤ周方向における一方側に向けて凸となるように湾曲した第１連結板２１と、他方側に向けて凸となるように湾曲した第２連結板２２と、を備えているので、この非空気入りタイヤ１に外力が作用して取り付け体１１とリング状体１２とが相対的にタイヤ径方向、タイヤ周方向、若しくはタイヤ幅方向Ｈに変位したときに、この変位に応じて第１連結板２１および第２連結板２２を弾性変形させ易くすることが可能になり、当該非空気入りタイヤ１に柔軟性を具備させることができ、車両への振動の伝達が抑えられ良好な乗り心地性を確実に確保することができる。
【００３３】
さらに、各連結部材１３が、前記タイヤ側面視で前記仮想線Ｌに対して線対称となっているので、この非空気入りタイヤ１におけるタイヤ周方向の一方側に沿うばね定数と他方側に沿うばね定数とで差が生ずるのを抑えることが可能になる。したがって、この非空気入りタイヤ１を接地させた状態で、当該タイヤ１の接地部分における進行方向に沿うばね定数と制動方向に沿うばね定数との差を抑えることが可能になり、良好な操縦性を確実に確保することができる。
【００３４】
さらにまた、リング状体１２がタイヤ周方向に沿って多数個の分割体１２ａに分割されていることから、リング状体１２の柔軟性が高められ、非空気入りタイヤ１に作用する外力に応じて第１連結板２１および第２連結板２２のみならずリング状体１２をも変形させ易くすることが可能になる。したがって、接地面積を広くしかつ接地面内での接地圧のばらつきを抑えることが可能になり、良好な乗り心地性をより一層確実に確保することができるとともに、トレッド部材１４に偏摩耗が生ずるのも防ぐことができる。
【００３５】
さらにこのように、リング状体１２を変形させ易くすることが可能になることから、前述の両連結板２１、２２自体にかかる負荷のみならず、両連結板２１、２２においてリング状体１２に連結される各一端部２１ａ、２２ａおよび取り付け体１１に連結される各他端部２１ｂ、２２ｂ、つまり両連結板２１、２２の接続部分にかかる負荷も大きく緩和することが可能になり、この接続部分を含めた連結部材１３全体の耐久性を高めることができる。
【００３６】
さらに、前述のようにリング状体１２がタイヤ周方向に沿って多数個の分割体１２ａに分割されているので、この非空気入りタイヤ１を容易に形成することが可能になるとともに、例えばリング状体１２の一部が破損したときに、リング状体１２の全体を交換せずにこの破損箇所のみを交換すれば足り、メンテナンス性を向上させることも可能になる。
さらにまた、本実施形態では、リング状体１２の外周面１２ｃ側に、その全周にわたってトレッド部材１４が配設されているので、乗り心地性、グリップ性、および非空気入りタイヤ１の耐久性を確実に向上させることができる。
また、分割体１２ａにおいてリング状体１２の内周面１２ｂをなす各裏面にタイヤ径方向の内方に向けて補強リブ１２ｄが突設されているので、個々の分割体１２ａの曲げ剛性を向上させることが可能になり、この分割体１２ａが曲げ変形したことに起因した、接地面積の減少や接地圧のばらつきを抑制することができる。
【００３７】
さらに、１つの連結部材１３における両連結板２１、２２の各一端部２１ａ、２２ａが、タイヤ周方向で互いに隣接する複数個の分割体１２ａに跨って連結されているので、リング状体１２を構成する分割体１２ａの個数を、前述の作用効果を奏するのに十分な数量確保し易くすることが可能になるとともに、トレッド部材１４に作用する接地圧をタイヤ周方向に分散させ易くすることも可能になり、接地面内での接地圧のばらつきを確実に抑えることができる。
【００３８】
また、第１連結板２１および第２連結板２２の各一端部２１ａ、２２ａが、リング状体１２の内周面１２ｂ側においてトレッド部材１４の外周面に形成された周方向主溝１４ａと対応する位置に前記ブロック状体１９ｂを介して連結されているので、この非空気入りタイヤ１の接地時に、路面から連結部材１３全体に加えられる負荷、およびトレッド部材１４において第１連結板２１および第２連結板２２の各一端部２１ａ、２２ａと対応する対応部分に加えられる負荷をそれぞれ確実に抑制することが可能になる。
このうち、トレッド部材１４の前記対応部分に加えられる負荷を抑制することが可能になることから、トレッド部材１４の前記対応部分で接地圧が局所的に高くなるのを防ぎ、接地面内で接地圧がばらつくのをより一層確実に抑えることができる。
【００３９】
また、１つの連結部材１３における両連結板２１、２２の各一端部２１ａ、２２ａが、リング状体１２の内周面１２ｂ側においてタイヤ周方向における同一の位置にタイヤ幅方向Ｈの位置を互いに異ならせて各別に連結されて、連結部材１３が、第１連結板２１が一のタイヤ幅方向位置にタイヤ周方向に沿って複数配置され、かつ第２連結板２２が他のタイヤ幅方向位置にタイヤ周方向に沿って複数配置されるように、タイヤ周方向に沿って複数設けられているので、タイヤ周方向で隣り合う連結部材１３同士の干渉を抑えることが可能になり、その配設個数に制限が生ずるのを確実に抑えることができるとともに、トレッド部材１４に作用する接地圧をさらにタイヤ幅方向Ｈに分散させ易くすることも可能になり、トレッド部材１４に偏摩耗が生ずるのを確実に防ぐことができる。
【００４０】
また、前述の分割体１２ａにおいてリング状体１２の外周面１２ｃをなす各表面が平坦面となっているので、例えば非空気入りタイヤ１を平坦な路面上に接地させて図３および図４に示されるように第１連結板２１および第２連結板２２を撓ませたときに、このタイヤ１において路面上に位置する複数個の分割体１２ａの各表面の全てをそのほぼ全域にわたって路面と平行に沿わせる、つまり同一平面上に位置させることが可能になり、接地面内での接地圧のばらつきをより一層確実に抑えることができる。
【００４１】
すなわち、分割体１２ａの各表面を、例えばリング状体１２の外周面１２ｃがこの非空気入りタイヤ１の軸線Ｏを中心とした真円になるようにタイヤ径方向の外方に向けて凸となるような凸曲面に形成した場合、このタイヤ１を平坦な路面上に接地させると、路面上に位置する複数個の分割体１２ａの各表面それぞれにおいて、タイヤ周方向の中間部に位置する部分が、補強層１５およびトレッド部材１４を介して路面に当接する一方、この中間部よりもタイヤ周方向の外側に位置する部分は、前記中間部からタイヤ周方向の外側に向かうに従い漸次、タイヤ径方向の内側に向かい路面から離れることがあり、これら複数個の分割体１２ａの各表面の全てを全域にわたって路面と平行に沿わせることが困難になるおそれがある。
【００４２】
また本実施形態では、複数個の分割体１２ａが、前記各表面の全てが同一平面上に位置するように弾性的に剛体変位可能となっているので、この非空気入りタイヤ１を平坦な路面上に接地させた時に、このタイヤ１において路面上に位置する複数個の分割体１２ａの各表面の全てをそのほぼ全域にわたって路面に平行に沿わせることが可能になる。
【００４３】
さらに、第１連結板２１および第２連結板２２がそれぞれ、金属材料若しくは樹脂材料で形成されているので、ヒステリシスロスの発生をほぼなくすことが可能になり、転がり抵抗を空気入りタイヤよりも低減することができる。
【００４４】
次に、本発明に係る非空気入りタイヤの第２実施形態を図５から図８を参照しながら説明するが、前記第１実施形態と同一の部位には同一の符号を付してその説明は省略し、異なる点についてのみ説明する。
【００４５】
この非空気入りタイヤ２においては、両連結板２１、２２の各一端部２１ａ、２２ａおよび各他端部２１ｂ、２２ｂが、タイヤ幅方向Ｈに沿って平行に延びる回転軸線Ｒ回りに回転自在に支持されている。
取り付け体３１の外周面においてタイヤ幅方向Ｈの両端には、タイヤ径方向外方に向けて突出する第１支持突部３２が、タイヤ周方向に等間隔をあけて複数設けられるとともに、各第１支持突部３２にはタイヤ幅方向Ｈに貫通する第１軸受孔３２ａが形成されている。
そして、取り付け体３１の外周面においてタイヤ幅方向Ｈの両端に位置する各第１支持突部３２は、タイヤ幅方向Ｈで互いに対向しており、これらの第１支持突部３２に形成された第１軸受孔３２ａは回転軸線Ｒと同軸に位置している。
【００４６】
また、取付け部材３７は、複数個の分割体１２ａに跨って配設された平板３７ａと、この平板３７ａの表面に、タイヤ幅方向Ｈに互いに間隔あけて突設された一対の第２支持突部３７ｂと、を備えている。さらに、これらの第２支持突部３７ｂにはタイヤ幅方向Ｈに貫通する第２軸受孔が形成されている。これらの第２軸受孔は回転軸線Ｒと同軸に位置している。
【００４７】
ここで、本実施形態では、両連結板２１、２２の各他端部２１ｂ、２２ｂには、タイヤ幅方向Ｈに沿って平行に延びる第１軸部３５が取り付けられており、この第１軸部３５の両端部は、各連結板２１、２２よりもタイヤ幅方向Ｈの外側に突出している。さらに、本実施形態では、両連結板２１、２２の各一端部２１ａはタイヤ幅方向Ｈに沿って延びる第２軸部３６を介して連結されている。この第２軸部３６の両端部は、両連結板２１、２２よりもタイヤ幅方向Ｈの外側に突出している。
そして、第１軸部３５の両端部が第１軸受孔３２ａに回転自在に挿入され、かつ第２軸部３６の両端部が前記第２軸受孔に回転自在に挿入されている。
【００４８】
以上説明したように、本実施形態による非空気入りタイヤ２によれば、両連結板２１、２２の各一端部２１ａ、２２ａおよび各他端部２２ｂ、２２ｂ（以下、接続部分という）が、前記回転軸線Ｒ回りに回転自在に支持されているので、非空気入りタイヤ２に外力が作用して取り付け体３１とリング状体１２とが相対的にタイヤ径方向、タイヤ周方向、若しくはタイヤ幅方向Ｈに変位したときに、両連結板２１、２２の前記接続部分を前記回転軸線Ｒ回りに回転させることにより、この接続部分が局所的に大きく変形させられるのを抑制することが可能になる。したがって、両連結板２１、２２の全体を偏り少なく均等に変形させて前記接続部分にかかる負荷を抑えることが可能になり、乗り心地性、および連結部材１３全体の耐久性をより一層高めることができる。
【００４９】
ところで、このように両連結板２１、２２の前記接続部分を回転軸線Ｒ回りに回転自在に支持する構成では、特に、この連結部材１３の配設個数がスペース上の理由から制限されるおそれがある。このように連結部材１３の配設個数が制限された場合に、１つの連結部材１３における両連結板２１、２２の各一端部２１ａ、２２ａを１つの分割体１２ａに連結してしまうと、分割体１２ａの個数が少なくなりすぎて、前述の作用効果が奏功されなくなる。
【００５０】
すなわち、両連結板２１、２２の前記接続部分を回転軸線Ｒ回りに回転自在に支持する構成を採用したことにより、連結部材１３の配設個数が少なくなったとしても、前述のように、１つの連結部材１３における両連結板２１、２２の各一端部２１ａ、２２ａを、タイヤ周方向で互いに隣接する複数個の分割体１２ａに跨って連結することによって、リング状体１２を構成する分割体１２ａの個数は、前述の作用効果を奏するのに十分な数量確保することが可能になる。つまり、１つの連結部材１３における両連結板２１、２２の各一端部２１ａ、２２ａを、タイヤ周方向で互いに隣接する複数個の分割体１２ａに跨って連結することで、連結部材１３の配設個数とは無関係に分割体１２ａの個数を数多く確保することができる。
【００５１】
なお、本発明の技術的範囲は前記実施の形態に限定されるものではなく、本発明の趣旨を逸脱しない範囲において種々の変更を加えることが可能である。
例えば、前記各実施形態では、連結部材１３として第１連結板２１および第２連結板２２をそれぞれ１つずつ備えた構成を示したが、これに代えて、１つの連結部材１３に第１連結板２１および第２連結板２２がそれぞれ複数ずつ、互いのタイヤ幅方向Ｈの位置を異ならせて備えられた構成を採用してもよい。
また、連結部材１３を、取り付け体１１とリング状体１２との間にタイヤ幅方向Ｈに沿って複数設けてもよい。
さらに、取り付け体１１、３１として円盤状体を示したが、これに代えて例えばリング状体等を採用してもよい。
【００５２】
また、前記各実施形態では、タイヤ周方向で隣り合う分割体１２ａの周端縁同士を互いに当接若しくはタイヤ周方向に離間させたが、非空気入りタイヤ１、２の柔軟性を確実に高めるために、図示した形態よりもタイヤ周方向に大きく離間させてもよい。
さらに、第１連結板２１および第２連結板２２を形成する材質は前記各実施形態に限らず適宜変更してもよい。
また、第１連結板２１および第２連結板２２それぞれの他端部２１ｂ、２２ｂは、前記各実施形態に代えて例えば、取り付け体１１、３１の外周面において前記軸線Ｏをタイヤ径方向で挟んで互いに反対となる位置に各別に連結してもよいし、あるいは、取り付け体１１、３１の外周面において、第１連結板２１および第２連結板２２の各一端部２１ａ、２２ａにタイヤ径方向で対向する位置等に連結してもよい。
【００５３】
さらに、前記各実施形態では、補強層１５を、接着剤等を介してその内周面をリング状体１２の外周面１２ｃに接着し外周面をトレッド部材１４の内周面に接着して固定したが、これに代えて例えば、前記両連結板２１、２２の弾性復元力により、リング状体１２の外周面１２ｃと補強層１５の内周面とを密接させ、かつ補強層１５の外周面とトレッド部材１４の内周面とを密接させるようにしてもよい。なお、補強層１５は設けなくてもよい。
【００５４】
また、前記各実施形態では、補強リブ１２ｄを、分割体１２ａの裏面におけるタイヤ幅方向Ｈの両端部に各別にタイヤ周方向の全長にわたって設けたが、分割体１２ａの裏面において前記両連結板２１、２２の各一端部２１ａ、２２ａが連結される部分を除いた位置であればその配設位置は特に限られるものではなく、例えば、分割体１２ａの裏面におけるタイヤ幅方向Ｈの両端部のうちのいずれか一方にのみ設けてもよいし、あるいは分割体１２ａの裏面におけるタイヤ周方向の両端部のうちの少なくとも一方に設けてもよいし、さらには、分割体１２ａの裏面における外縁に全周にわたって延設してもよい。
【００５５】
さらに、前記各実施形態では、１つの連結部材１３における両連結板２１、２２の各一端部２１ａ、２２ａを、タイヤ周方向で互いに隣接する複数個の分割体１２ａに跨って連結したが、１つの分割体１２ａに１つの連結部材１３における両連結板２１、２２の各一端部２１ａ、２２ａを連結してもよい。
また、前記各実施形態では、両連結板２１、２２の各一端部２１ａ、２２ａを、リング状体１２の内周面１２ｂ側においてトレッド部材１４の外周面に形成された複数の周方向主溝１４ａのうちの１つと対応する位置に、前記ブロック状体１９ｂを介して連結したが、リング状体１２の内周面１２ｂ側における任意の位置に連結してもよい。
【００５６】
また、前記各実施形態に代えて、両連結板２１、２２の各一端部２１ａ、２２ａを、リング状体１２の内周面１２ｂ側にタイヤ周方向位置を互いに異ならせて連結してもよい。
さらに、前記各実施形態では、両連結板２１、２２の各一端部２１ａ、２２ａが、リング状体１２の内周面１２ｂ側においてトレッド部材１４の外周面に形成された周方向主溝１４ａと対応する位置に前記ブロック状体１９ｂを介して連結された構成を示したが、これに代えて例えば、トレッド部材１４の外周面に横溝（パターン溝）を形成し、両連結板２１、２２の各一端部２１ａ、２２ａを、リング状体１２の内周面１２ｂ側において前記横溝と対応する位置に連結してもよい。
【００５７】
さらに、前記各実施形態では、リング状体１２の外周面１２ｃをなす多数個の分割体１２ａの各表面を平坦面にしたが、これに代えて例えば、リング状体１２の外周面１２ｃが前記軸線Ｏを中心とした真円になるようにタイヤ径方向の外方に向けて凸となるような凸曲面等に形成してもよい。
また、前記第２実施形態では、両連結板２１、２２の各一端部２１ａ、２２ａおよび各他端部２２ｂ、２２ｂの双方が、前記回転軸線Ｒ回りに回転自在に支持された構成を示したが、前記各一端部２１ａ、２２ａおよび各他端部２２ｂ、２２ｂのうちの少なくとも一方を前記回転軸線Ｒ回りに回転自在に支持するようにしてもよい。
【００５８】
さらに、前記各実施形態では、両連結板２１、２２の各他端部２１ｂ、２２ｂを、前記タイヤ側面視で、取り付け体１１、３１の外周面において前記各一端部２１ａ、２２ａとタイヤ径方向で対向する対向位置から前記軸線Ｏを中心にタイヤ周方向における一方側および他方側にそれぞれ、例えば４５°以上１３５°以下、好ましくは図３および図７に示されるように９０°以上１２０°以下の範囲で同じ角度ずつ離れた各位置に各別に連結することで、入力に応じて両連結板２１、２２を変形させ易くして乗り心地性を向上させたが、例えば、連結部材１３の配設個数を多く確保しつつ、非空気入りタイヤ１、２の重量を低減させたり、タイヤ周方向で隣り合う両連結板２１、２２同士の干渉を防止したりする等のために、両連結板２１、２２の各他端部２１ｂ、２２ｂを、前記タイヤ側面視で、取り付け体１１、３１の外周面において前記対向位置から前記軸線Ｏを中心にタイヤ周方向における一方側および他方側にそれぞれ、例えば図１１に示されるように２０°以上９０°未満の範囲で同じ角度ずつ離れた各位置に各別に連結してもよい。
また、リング状体１２の外周面１２ｃ側にトレッド部材１４を設けなくてもよい。
さらに、連結部材１３の前記タイヤ側面視の形状は、前記仮想線Ｌに対して非対称としてもよい。
【００５９】
また、リング状体１２内に、図１２に示されるように、タイヤ周方向に沿って延在し、かつ多数個の分割体１２ａをタイヤ周方向に連結する弾性部材３８を設けてもよい。図示の例では、弾性部材３８は、タイヤ周方向に沿って全周にわたって延在し、外径がリング状体１２の内径と同等のリング状に形成されている。また、この弾性部材３８の外周面は、リング状体１２の内周面に接着若しくは接合されている。そして、この弾性部材３８の内周面に取付け部材３７の平板３７ａが接着若しくは接合されている。さらに、弾性部材３８は、例えば、金属材料、天然ゴムまたは／およびゴム組成物が加硫された加硫ゴム、あるいは熱可塑性材料等で形成されている。金属材料として、例えばアルミニウムやステンレス鋼等が挙げられる。熱可塑性材料として、例えば前述の熱可塑性エラストマー若しくは熱可塑性樹脂等が挙げられる。なお、この弾性部材３８の曲げ剛性は、第１連結板２１および第２連結板２２それぞれのタイヤ周方向に沿った曲げ剛性よりも高くしてもよい。さらに、弾性部材３８のタイヤ幅方向Ｈにおける大きさは、平板３７ａのタイヤ幅方向Ｈにおける大きさと同等になっている。
【００６０】
この場合、リング状体１２内に、タイヤ周方向に沿って延在し、かつ多数個の分割体１２ａをタイヤ周方向に連結する弾性部材３８が設けられているので、リング状体１２の変形量を規制することが可能になり、リング状体１２を多数個の分割体１２ａに分割したことにより、このリング状体１２の柔軟性が過度に高くなるのを抑制することができる。
したがって、接地面内での接地圧のばらつきや振動の発生を確実に抑えることができるとともに、リング状体１２を多数個の分割体１２ａに分割したことによって、非空気入りタイヤの転がり抵抗が増大したり、あるいは両連結板２１、２２にかかる負荷が高くなったりするのを抑制することができる。
【００６１】
このうち、両連結板２１、２２にかかる負荷が高くなるのを抑制することが可能になることから、リング状体１２を多数個の分割体１２ａに分割するために、両連結板２１、２２の曲げ剛性を高めてその耐久性を向上させる必要がなく、これらの連結板２１、２２の重量の増大を抑えることが可能になる。したがって、リング状体１２を多数個の分割体１２ａに分割するのに伴い非空気入りタイヤの重量が増大してしまうのを防ぐことができる。
さらに多数個の分割体１２ａが、剛体ではなく弾性部材３８によってタイヤ周方向に連結されていることから、接地面積が大きく低減してしまうのを防ぐことが可能になるとともに、路面から受ける負荷が弾性部材３８を介して非空気入りタイヤの広い範囲にわたって分散されることで局所的に大きな負荷が加わる部分が生ずるのを防ぐことが可能になり、耐久性を向上させることができる。
また、弾性部材３８が、外径がリング状体１２の内径と同等のリング状に形成されているので、この非空気入りタイヤの製造に際し、例えば弾性部材３８を基準の一つとして多数個の分割体１２ａの配設位置を特定することが可能になり、非空気入りタイヤを容易かつ高精度に形成することができる。
【００６２】
なお、弾性部材は、図示の例に限らず例えば、コイルスプリング、束線、単線若しくは撚り線等を採用してもよい。
また、弾性部材３８の配設位置は、リング状体１２内において多数個の分割体１２ａをタイヤ周方向に連結することが可能な位置であれば、図示した位置に限られるものではない。
さらに、弾性部材３８を、タイヤ周方向に沿って全周にわたって連続して延在させたが、タイヤ周方向に沿って断続的に点在若しくは延在させてもよい。例えば、弾性部材３８を、タイヤ周方向に沿って多数個の弾性分割体に分割し、１つの弾性分割体により２つの分割体１２ａをタイヤ周方向に連結させるとともに、２つの弾性分割体を１つの分割体１２ａに連結することで、弾性部材３８をタイヤ周方向の全周にわたって延在させ、かつこの弾性部材３８により多数個の分割体１２ａをタイヤ周方向の全周にわたって連結させてもよい。この場合、弾性部材３８を容易に形成することが可能になるとともに、この弾性部材３８を容易にリング状体１２に組付けることができる。
【００６３】
その他、本発明の趣旨を逸脱しない範囲で、上記した実施の形態における構成要素を周知の構成要素に置き換えることは適宜可能であり、また、上記した変形例を適宜組み合わせてもよい。
【００６４】
次に、以上説明した作用効果についての検証試験を実施した。
実施例１として図１から図４で示した非空気入りタイヤ１を採用し、実施例２として図５から図８で示した非空気入りタイヤ２を採用し、実施例３として図９に示されるような非空気入りタイヤを採用し、実施例４として図１０に示されるような非空気入りタイヤを採用した。
これらのうち、実施例３の非空気入りタイヤは、実施例１の非空気入りタイヤ１において、１つの連結部材１３における両連結板２１、２２の各一端部２１ａ、２２ａを、３つの分割体１２ａが一体となった１つの分割体１２ａに連結し、かつ補強リブ１２ｄを分割体１２ａの裏面におけるタイヤ幅方向Ｈの両端部に設けるのに代えて、分割体１２ａの裏面におけるタイヤ周方向の両端部に設けた。実施例４の非空気入りタイヤは、実施例２の非空気入りタイヤ２において、１つの連結部材１３における両連結板２１、２２の各一端部２１ａ、２２ａを、３つの分割体１２ａが一体となった１つの分割体１２ａに連結し、かつ補強リブ１２ｄを分割体１２ａの裏面におけるタイヤ幅方向Ｈの両端部に設けるのに代えて、分割体１２ａの裏面におけるタイヤ周方向の両端部に設けた。
比較例１として、実施例１の非空気入りタイヤ１において、分割体１２ａに補強リブ１２ｄが設けられていない構成を採用し、比較例２として、実施例２の非空気入りタイヤ２において、分割体１２ａに補強リブ１２ｄが設けられていない構成を採用し、比較例３として、図９に示す非空気入りタイヤにおいて、分割体１２ａに補強リブ１２ｄが設けられていない構成を採用し、さらに比較例４として、図１０に示す非空気入りタイヤにおいて、分割体１２ａに補強リブ１２ｄが設けられていない構成を採用した。
従来例として、内圧を２３０ｋＰａかけた空気入りタイヤを採用した。
これらの実施例１〜４、比較例１〜４および従来例のタイヤのサイズは全て１９５／５５Ｒ１６とした。
【００６５】
なお、実施例１、実施例３、比較例１および比較例３では、両連結板２１、２２におけるタイヤ幅方向Ｈの大きさおよび厚さをそれぞれ１８ｍｍ、３．０ｍｍとし、実施例２、実施例４、比較例２および比較例４では、両連結板２１、２２におけるタイヤ幅方向Ｈの大きさおよび厚さをそれぞれ１８ｍｍ、２．０ｍｍとした。
また、実施例１、実施例２、比較例１および比較例２では、リング状体１２の分割体１２ａにおけるタイヤ周方向の大きさおよび厚さをそれぞれ１６ｍｍ、３．５ｍｍとし、実施例３、実施例４、比較例３および比較例４では、リング状体１２の分割体１２ａにおけるタイヤ周方向の大きさおよび厚さをそれぞれ４８ｍｍ、３．５ｍｍとした。
さらに、実施例１〜４および比較例１〜４の全てについて、両連結板２１、２２はステンレス鋼で形成し、リング状体１２はアルミニウム合金で形成した。
【００６６】
そしてまず、従来例を評価基準（１００）として、実施例１の非空気入りタイヤについて、重量、転がり抵抗、進行方向のばね定数および制動方向のばね定数を指数で評価した。
転がり抵抗については、前述したそれぞれのタイヤを、ドラム試験機のドラム上に４．０ｋＮの力で押し付けた状態で８０ｋｍ／ｈの速度で回転させたときに、ドラム軸に作用した抵抗力を測定した。
前記各ばね定数については、前述したそれぞれのタイヤを剛体板上に４．０ｋＮの力で押し付けた状態で、この押し付け方向に直交する方向のうちタイヤ周方向に沿う方向に剛体板を押したときの力とその移動量（タイヤの変形量）とから測定した。
【００６７】
結果を表１に示す。
この表において、重量および転がり抵抗は数値が小さいほど良好であることを示しており、また、ばね定数は数値が大きいほど大きいことを示している。
【００６８】
【表１】
2010132259.tif 000003
【００６９】
この結果、実施例１の非空気入りタイヤでは、重量の増大を抑えつつ転がり抵抗を従来例の空気入りタイヤよりも低減できたことが確認され、また前記各ばね定数の増大を抑えつつ、これらのばね定数を従来例の空気入りタイヤと同様に互いに同等にすることが可能になることが確認された。
【００７０】
次に、比較例１を評価基準（１００）として、実施例１〜４および比較例２〜４それぞれの非空気入りタイヤについて、接地面積、接地圧標準偏差、乗り心地性および耐久性を指数で評価した。
接地面積および接地圧標準偏差については、実施例１〜４および比較例１〜４の各非空気入りタイヤを、感圧紙を介して平板上に４．０ｋＮの力で押し付けることで接地形状を得て、この接地形状を画像処理して計測した。
乗り心地性については、前述したそれぞれのタイヤを車両に装着し、この車両に２名乗車させて当該車両を走行させたときのドライバーによるフィーリングで評価した。
耐久性については、実施例１〜４および比較例１〜４の各非空気入りタイヤを、ドラム試験機のドラム上に５．２ｋＮの力で押し付けた状態で８１ｋｍ／ｈの速度で回転させ、故障が発生したときの時間で評価した。
【００７１】
結果を表２に示す。
この表において、接地圧標準偏差は数値が小さいほど良好であることを示しており、また、接地面積、乗り心地性および耐久性は数値が大きいほど良好であることを示している。
【００７２】
【表２】
2010132259.tif 000004
【００７３】
この結果、実施例１の非空気入りタイヤ１と比較例１の非空気入りタイヤとの比較、実施例２の非空気入りタイヤ２と比較例２の非空気入りタイヤとの比較、実施例３の非空気入りタイヤと比較例３の非空気入りタイヤとの比較、および実施例４の非空気入りタイヤと比較例４の非空気入りタイヤとの比較それぞれにおいて、実施例では、接地面積を比較例よりも増大でき、接地圧分布を比較例よりも低減でき、乗り心地性および耐久性については比較例よりも向上できたことが確認された。
【産業上の利用可能性】
【００７４】
重量、硬さおよび転がり抵抗の増大を抑えて良好な乗り心地性、操縦性さらには耐久性を確保し、かつより大きな接地面積の確保および接地圧分布の均等化を図りつつ、パンクの発生を防止することができる。
【符号の説明】
【００７５】
１、２  非空気入りタイヤ
１１、３１  取り付け体
１２  リング状体
１２ａ  分割体
１２ｂ  リング状体の内周面
１２ｃ  リング状体の外周面
１２ｄ  補強リブ
１３  連結部材
１４  トレッド部材
１４ａ  周方向主溝（パターン溝）
２１  第１連結板
２２  第２連結板
２１ａ、２２ａ  一端部
２１ｂ、２２ｂ  他端部
Ｈ  タイヤ幅方向
Ｌ  仮想線
Ｏ  軸線
Ｒ  回転軸線
【図１】
2010132259.tif 000005
【図２】
2010132259.tif 000006
【図３】
2010132259.tif 000007
【図４】
2010132259.tif 000008
【図５】
2010132259.tif 000009
【図６】
2010132259.tif 000010
【図７】
2010132259.tif 000011
【図８】
2010132259.tif 000012
【図９】
2010132259.tif 000013
【図１０】
2010132259.tif 000014
【図１１】
2010132259.tif 000015
【図１２】
2010132259.tif 000016